(57)【要約】【課題】酸素供給源と患者との位置関係にかかわらず、カニューラの長さを適正に保つことができる構造を備えたカニューラを提供する。【解決手段】カニューラ１１は、酸素供給源に接続されるコネクタ部１６と、患者が装着するプロング部１３と、コネクタ部とプロング部との間のチューブ部１４とを有し、チューブ部は、ストレート部１５とスパイラル部１６とを有し、スパイラル部の長さは、スパイラル部が自己復元力で短縮した短縮状態でストレート部の合計長さより短くなり、かつ、スパイラル部をストレート部の軸線方向に伸長させた伸長状態でストレート部の長さより長くなるように形成している。【選択図】図１
2018082825.tif 000002
【特許請求の範囲】
【請求項１】
酸素療法を行っている患者に酸素供給源からの酸素ガスを供給するためのカニューラにおいて、該カニューラは、前記酸素供給源に接続されるコネクタ部と、前記患者が装着するプロング部と、前記コネクタ部と前記プロング部との間のチューブ部とを有し、該チューブ部は、ストレート部とスパイラル部とを有し、該スパイラル部は、該スパイラル部が自己復元力で短縮した短縮状態で前記ストレート部の長さより短くなる長さに形成されていることを特徴とするカニューラ。
【請求項２】
前記スパイラル部は、該スパイラル部を前記ストレート部の軸線方向に伸長させた伸長状態で前記ストレート部の長さより長くなることを特徴とする請求項１記載のカニューラ。
【請求項３】
前記ストレート部が前記コネクタ部側に設けられ、前記スパイラル部が前記プロング部側に設けられていることを特徴とする請求項１又は２記載のカニューラ。
【請求項４】
前記スパイラル部は、内径が１５〜４０ｍｍであることを特徴とする請求項１乃至３のいずれか１項記載のカニューラ。
【請求項５】
前記スパイラル部は、前記短縮状態の長さが５０〜２００ｍｍ、該スパイラル部を前記ストレート部の軸線方向に伸長させた伸長状態の長さが６００〜１０００ｍｍであり、前記ストレート部の長さは、３００〜５００ｍｍであることを特徴とする請求項１乃至４のいずれか１項記載のカニューラ。
【請求項６】
酸素療法を行っている患者に酸素供給源からの酸素ガスを供給するためのカニューラ用チューブにおいて、該カニューラ用チューブは、前記酸素供給源に接続される酸素供給源側コネクタ部と、前記患者が装着するプロング部に接続されるプロング部側コネクタ部と、前記酸素供給源側コネクタ部と前記プロング部側コネクタ部との間のチューブ部とを有し、該チューブ部は、ストレート部とスパイラル部とを有し、該スパイラル部は、該スパイラル部が自己復元力で短縮した短縮状態で前記ストレート部の長さより短くなる長さに形成されていることを特徴とするカニューラ用チューブ。
【請求項７】
前記スパイラル部は、該スパイラル部を前記ストレート部の軸線方向に伸長させた伸長状態で前記ストレート部の長さより長くなることを特徴とする請求項６記載のカニューラ用チューブ。
【請求項８】
前記ストレート部が前記酸素供給源側コネクタ部側に設けられ、前記スパイラル部が前記プロング部側コネクタ部側に設けられていることを特徴とする請求項６又は７記載のカニューラ用チューブ。
【請求項９】
前記スパイラル部は、内径が１５〜４０ｍｍであることを特徴とする請求項６乃至８のいずれか１項記載のカニューラ用チューブ。
【請求項１０】
前記スパイラル部は、前記短縮状態の長さが５０〜２００ｍｍ、該スパイラル部を前記ストレート部の軸線方向に伸長させた伸長状態の長さが６００〜１０００ｍｍであり、前記ストレート部の長さは、３００〜５００ｍｍであることを特徴とする請求項６乃至９のいずれか１項記載のカニューラ用チューブ。
【発明の詳細な説明】
【技術分野】
【０００１】
本発明は、カニューラ及びカニューラ用チューブに関し、詳しくは、酸素療法を行っている患者に酸素供給源からの酸素ガスを供給するためのカニューラ及びカニューラ用チューブの構造に関する。
【背景技術】
【０００２】
酸素療法は、酸素濃縮器や酸素ボンベなどの酸素供給源からの酸素ガスを、カニューラを介して患者に所定流量で投与するもので、カニューラは、酸素供給源の酸素ガス吐出部に接続するための酸素供給源側コネクタ部と、患者が装着するプロング部と、酸素供給源側コネクタ部とプロング部に接続されるプロング部側コネクタ部との間のチューブ部とで形成されている。このようなカニューラとして、使用時の伸縮性を得るためにチューブ部の略全体を螺旋形状としたスパイラルチューブ（コイルチューブ、カールチューブ）としたものが知られている（例えば、特許文献１参照。）。
【先行技術文献】
【特許文献】
【０００３】
【特許文献１】特開２００４−３２１５８０号公報
【発明の概要】
【発明が解決しようとする課題】
【０００４】
特許文献１に示されるスパイラルチューブは、頭部取付用部材によってプロング部側のチューブ端が固定されているため、就寝時の寝返り対策としては有効であるが、通常使用時には頭部取付用部材が煩わしいものとなる。また、スパイラルチューブの自己復元力によって引っ張られるため、患者に強い不快感を与えることになる。
【０００５】
一方、カートやバッグ内収納した酸素供給源に対して、全体をフレキシブルチューブとしたチューブ部を有するカニューラを使用した場合、チューブ部が長いと、チューブ部が垂れ下がって邪魔になり、歩行時にチューブ部が障害物に引っかかってしまうことがあった。チューブ部の垂れ下がりを解消するため、チューブ部の一部をカートやバッグ内に収納したときに、チューブ部が屈曲すると、酸素ガスの供給量が不足してしまうおそれがあった。また、チューブ部が短いと、酸素供給源とプロング部との位置関係を常に適正に保つ必要があり、バッグを落としたり、カートを倒したりしたときにカニューラが強く引っ張られるため、患者の頭部に衝撃を与えたり、カニューラが外れたりするおそれがあった。
【０００６】
そこで本発明は、酸素供給源と患者との位置関係にかかわらず、カニューラの長さを適正に保つことができる構造を備えたカニューラ及びカニューラ用チューブを提供することを目的としている。
【課題を解決するための手段】
【０００７】
上記目的を達成するため、本発明のカニューラは、酸素療法を行っている患者に酸素供給源からの酸素ガスを供給するためのカニューラにおいて、該カニューラは、前記酸素供給源に接続されるコネクタ部と、前記患者が装着するプロング部と、前記コネクタ部と前記プロング部との間のチューブ部とを有し、該チューブ部は、ストレート部とスパイラル部とを有し、該スパイラル部は、該スパイラル部が自己復元力で短縮した短縮状態で前記ストレート部の長さより短くなる長さに形成されていることを特徴としている。
【０００８】
さらに、本発明のカニューラは、前記スパイラル部が、該スパイラル部を前記ストレート部の軸線方向に伸長させた伸長状態で前記ストレート部の長さより長くなることを特徴とし、前記ストレート部が前記コネクタ部側に設けられ、前記スパイラル部が前記プロング部側に設けられていることを特徴としている。また、前記スパイラル部の内径が１５〜４０ｍｍであること、前記スパイラル部における前記短縮状態の長さが５０〜２００ｍｍ、該スパイラル部を前記ストレート部の軸線方向に伸長させた伸長状態の長さが６００〜１０００ｍｍであり、前記ストレート部の長さが３００〜５００ｍｍであることを特徴としている。
【０００９】
また、本発明のカニューラ用チューブは、酸素療法を行っている患者に酸素供給源からの酸素ガスを供給するためのカニューラ用チューブにおいて、該カニューラ用チューブは、前記酸素供給源に接続される酸素供給源側コネクタ部と、前記患者が装着するプロング部に接続されるプロング部側コネクタ部と、前記酸素供給源側コネクタ部と前記プロング部側コネクタ部との間のチューブ部とを有し、該チューブ部は、ストレート部とスパイラル部とを有し、該スパイラル部は、該スパイラル部が自己復元力で短縮した短縮状態で前記ストレート部の長さより短くなる長さに形成されていることを特徴としている。
【００１０】
さらに、本発明のカニューラ用チューブは、前記スパイラル部が、該スパイラル部を前記ストレート部の軸線方向に伸長させた伸長状態で前記ストレート部の長さより長くなることを特徴とし、前記ストレート部が前記酸素供給源側コネクタ部側に設けられ、前記スパイラル部が前記プロング部側コネクタ部側に設けられていることを特徴としている。また、前記スパイラル部の内径が１５〜４０ｍｍであること、前記スパイラル部における前記短縮状態の長さが５０〜２００ｍｍ、該スパイラル部を前記ストレート部の軸線方向に伸長させた伸長状態の長さが６００〜１０００ｍｍであり、前記ストレート部の長さが３００〜５００ｍｍであることを特徴としている。
【発明の効果】
【００１１】
本発明によれば、スパイラル部が伸縮することにより、酸素供給源と患者との位置関係に関係なく、カニューラの長さを適正に保つことができる。これにより、患者の体格や行動状態にかかわらず、カニューラが邪魔になることがなく、適正な量の酸素ガスを患者に供給することができる。また、特許文献１に記載されているようなチューブ取付用部材を患者に装着することがないので、患者の負担が増大することもない。
【図面の簡単な説明】
【００１２】
【図１】本発明のカニューラの一形態例を示す正面図である。
【図２】本発明のカニューラ用チューブの一形態例を示す正面図である。
【発明を実施するための形態】
【００１３】
図１は、本発明のカニューラの一形態例を示している。本形態例に示すカニューラ１１は、図示しない酸素供給源に接続される酸素供給源側のコネクタ部１２と、患者が装着するプロング部１３と、コネクタ部１２とプロング部１３との間のチューブ部１４とを有している。チューブ部１４は、コネクタ部１２側に設けられたストレート部１５と、プロング部１３側に設けられたスパイラル部１６とを有しており、スパイラル部１６のプロング部１３側端部には、スパイラル部１６の端部を、プロング部１３の基端部に設けられた二股ブラケット１７に接続するための短いストレート状の接続部１８が設けられている。
【００１４】
前記コネクタ部１２は、従来から一般的に用いられているコネクタ部と同様に形成されるもので、コネクタ部１２の内部には、酸素供給源の接続部に設けられた差口を挿入するための受口が形成されている。また、前記プロング部１３は、患者の鼻孔に挿入する鼻プロング１３ａと、該鼻プロング１３ａの左右両端に接続されて患者の耳に装着する左右一対のストラップチューブ１３ｂ，１３ｂと、ストラップチューブ１３ｂ，１３ｂの分岐長さを調節するための調節リング１３ｃと、ストラップチューブ１３ｂ，１３ｂの基端部に連結された前記二股ブラケット１７とを有している。
【００１５】
前記チューブ部１４におけるスパイラル部１６の長さは、該スパイラル部１６が自己復元力で短縮した短縮状態で前記ストレート部１５の長さより短くなり、かつ、スパイラル部１６をストレート部１５の軸線方向に伸長させた伸長状態でストレート部１５の長さより長くなるように設定されている。スパイラル部１６の短縮状態の長さ及び伸長状態の長さは、スパイラル部１６を形成する材質、チューブの口径及び肉厚、スパイラル部１６の内径、スパイラル部１６の巻数、スパイラル部１６の復元力といった各種条件に応じて適宜設定することができる。
【００１６】
特に、スパイラル部１６の内径及び巻数は、該スパイラル部１６の伸縮性に大きな影響を与えるものであり、一般的に用いられている材質、口径、肉厚のチューブの場合、スパイラル部１６の内径を１５ｍｍ未満にすると、巻数を多くしても伸長時の長さを十分に得ることができず、４０ｍｍを越える内径にすると、巻数を少なくしても十分な伸長長さを得ることができるが、スパイラル部１６が大きくなって邪魔になることがある。また、巻数は、内径によっても異なるが、内径が小さい場合には巻数を多くする必要があり、内径が大きい場合には、巻数を少なくすることができ、通常は、４〜２０巻き程度が適当である。
【００１７】
例えば、スパイラル部１６の内径を１５〜４０ｍｍ、巻数を４〜２０に設定するとともに、スパイラル部１６における短縮状態の長さを５０〜２００ｍｍ、伸長状態の長さを６００〜１０００ｍｍにそれぞれ設定し、ストレート部１５の長さを３００〜５００ｍｍに設定することにより、チューブ部１４の全体を、３５０〜１５００ｍｍの範囲で伸縮するものを作成することが可能となり、成人用、小児用などの各種条件に対応可能となる。
【００１８】
また、ストレート部１５とスパイラル部１６との位置関係は、チューブ部１４の全体の長さに応じて適宜設定することができるが、スパイラル部１６をプロング部１３側に配置し、ストレート部１５をコネクタ部１２側に配置することにより、カートやバッグ内に収納した酸素供給源へのコネクタ部１２の接続を容易かつ確実に行うことができるとともに、スパイラル部１６をカートやバッグの外部に位置させることができるので、スパイラル部１６を円滑に伸縮させることができる。
【００１９】
前記ストラップチューブ１３ｂ，１３ｂ及び前記チューブ部１４は、適度な柔軟性を有する合成樹脂、例えば、軟質ポリ塩化ビニル樹脂で形成することができ、その他の部品は、適度な硬度を有する合成樹脂、例えば、硬質ポリ塩化ビニル樹脂によって形成することができる。また、チューブ部１４を形成する合成樹脂の性状を適切に設定することにより、スパイラル部１６における良好な伸縮性、復元性を得ることができる。さらに、接続部１８の長さは、二股ブラケット１７との接続を容易に行える長さ、例えば２０〜３０ｍｍ程度あればよい。
【００２０】
図２は、本発明のカニューラ用チューブの一形態例を示している。このカニューラ用チューブ３１は、前記カニューラ１１におけるチューブ部１４を独立した部品としたものであって、酸素供給源に着脱可能に接続される酸素供給源側コネクタ部３２と、プロング部に着脱可能に接続されるプロング部側コネクタ部３３と、酸素供給源側コネクタ部３２とプロング部側コネクタ部３３との間のチューブ部３４とを有しており、チューブ部３４は、酸素供給源側コネクタ部３２側に配置されるストレート部３５と、プロング部側コネクタ部３３側に配置されるスパイラル部３６とを有している。さらに、スパイラル部３６のプロング部側コネクタ部３３側端部には、短いストレート状の接続部３７が設けられている。
【００２１】
酸素供給源側コネクタ部３２は、従来から一般的に用いられているコネクタ部と同様に形成されるもので、コネクタ部３２の内部には、酸素供給源の接続部に設けられた差口を挿入するための受口が形成されている。一方、プロング部側コネクタ部３３は、例えば、図１に示した二股ブラケット１７の内部に挿入するための小径差口３３ａを有している。
【００２２】
チューブ部３４におけるスパイラル部３６の長さは、該スパイラル部３６が自己復元力で短縮した短縮状態で前記ストレート部３５の長さより短くなり、かつ、スパイラル部３６をストレート部３５の軸線方向に伸長させた伸長状態でストレート部３５の長さより長くなるように設定されている。スパイラル部３６の短縮状態の長さ及び伸長状態の長さは、スパイラル部３６を形成する材質、チューブの口径及び肉厚、スパイラル部３６の内径、スパイラル部３６の巻数、スパイラル部３６の復元力といった各種条件に応じて適宜設定することができる。
【００２３】
特に、スパイラル部３６の内径及び巻数は、該スパイラル部３６の伸縮性に大きな影響を与えるものであり、一般的に用いられている材質、口径、肉厚のチューブの場合、スパイラル部３６の内径を１５ｍｍ未満にすると、巻数を多くしても伸長時の長さを十分に得ることができず、４０ｍｍを越える内径にすると、巻数を少なくしても十分な伸長長さを得ることができるが、スパイラル部３６が大きくなって邪魔になることがある。また、巻数は、内径によっても異なるが、内径が小さい場合には巻数を多くする必要があり、内径が大きい場合には、巻数を少なくすることができ、通常は、４〜２０巻き程度が適当である。
【００２４】
例えば、スパイラル部３６の内径を１５〜４０ｍｍ、巻数を４〜２０に設定するとともに、スパイラル部３６における短縮状態の長さを５０〜２００ｍｍ、伸長状態の長さを６００〜１０００ｍｍにそれぞれ設定し、ストレート部１５の長さを３００〜５００ｍｍに設定することにより、チューブ部３４の全体を、３５０〜１５００ｍｍの範囲で伸縮するものを作成することが可能となり、成人用、小児用などの各種条件に対応可能となる。
【００２５】
また、ストレート部３５とスパイラル部３６との位置関係は、チューブ部３４の全体の長さに応じて適宜設定することができるが、スパイラル部３６をプロング部側コネクタ部３３側に配置し、ストレート部３５を酸素供給源側コネクタ部３２側に配置することにより、カートやバッグ内に収納した酸素供給源への酸素供給源側コネクタ部３２の接続を容易かつ確実に行うことができるとともに、スパイラル部３６をカートやバッグの外部に位置させることができるので、スパイラル部３６を円滑に伸縮させることができる。
【００２６】
チューブ部３４は、適度な柔軟性を有する合成樹脂、例えば、軟質ポリ塩化ビニル樹脂で形成することができ、両コネクタ部は、適度な硬度を有する合成樹脂、例えば、硬質ポリ塩化ビニル樹脂によって形成することができる。また、チューブ部３４を形成する合成樹脂の性状を適切に設定することにより、スパイラル部３６における良好な伸縮性、復元性を得ることができる。さらに、接続部３７の長さは、図１に示すような二股ブラケット１７との接続を容易に行える長さ、例えば２０〜３０ｍｍ程度あればよい。
【００２７】
なお、接続する酸素供給源も各種のものを選択することができ、プロング部は、患者に応じて選択することができる。また、各形態例におけるコネクタ部の構造は任意であり、雄雌の方向も任意である。
【符号の説明】
【００２８】
１１…カニューラ、１２…コネクタ部、１３…プロング部、１３ａ…鼻プロング、１３ｂ…ストラップチューブ、１３ｃ…調節リング、１４…チューブ部、１５…ストレート部、１６…スパイラル部、１７…二股ブラケット、１８…接続部、３１…カニューラ用チューブ、３２…酸素供給源側コネクタ部、３３…プロング部側コネクタ部、３３ａ…小径差口、３４…チューブ部、３５…ストレート部、３６…スパイラル部、３７…接続部
【図１】
2018082825.tif 000003
【図２】
2018082825.tif 000004